(57)【要約】【課題】ダイレクトメールの内容や形態といったダイレクトメールに関する情報を容易に取得する。【解決手段】情報提供サーバー３０において、ダイレクトメールに掲載される掲載情報を、ダイレクトメールを識別可能な識別情報と対応づけてダイレクトメール情報データベース４１に登録するとともに、ダイレクトメールに関する関連情報を識別情報と対応づけてコンテンツ情報データベース４２に登録しておき、関連情報を指定するための情報画面を会員端末２０−１〜２０−Ｎに提供し、会員端末２０−１〜２０−Ｎにおいて関連情報が指定された場合に、関連情報に対応する識別情報と対応づけられた掲載情報をダイレクトメール情報データベース４１から検索し、会員端末２０−１〜２０−Ｎに提供する。【選択図】　　図１
2004005155.tif 000002
【特許請求の範囲】
【請求項１】
ダイレクトメールに関する情報を、インターネットを介して提供するダイレクトメール情報提供システムであって、
前記インターネットに接続可能な少なくとも１つの端末と、
前記ダイレクトメールに掲載される掲載情報を、該ダイレクトメールを識別可能な識別情報と対応づけて第１のデータベースに登録するとともに、前記ダイレクトメールに関する関連情報を前記識別情報と対応づけて第２のデータベースに登録し、前記関連情報を指定するための第１の情報画面を、前記インターネットを介して前記端末に提供し、前記端末にて前記関連情報が指定された場合に該指定された関連情報に対応する前記識別情報に対応づけられて前記第１のデータベースに登録された掲載情報を検索し、該掲載情報が掲載された第２の情報画面を、前記インターネットを介して前記端末に提供する情報提供手段とを有することを特徴とするダイレクトメール情報提供システム。
【請求項２】
請求項１に記載のダイレクトメール情報提供システムにおいて、
前記情報提供手段は、前記掲載情報の提供に伴う課金条件を設定し、該課金条件が掲載された第３の情報画面を、前記インターネットを介して前記端末に提示することを特徴とするダイレクトメール情報提供システム。
【請求項３】
ダイレクトメールに関する情報を、インターネットに接続可能な端末に提供するダイレクトメール情報提供サーバーであって、
前記ダイレクトメールに掲載される掲載情報を、該ダイレクトメールを識別可能な識別情報と対応づけて第１のデータベースに登録するとともに、前記ダイレクトメールに関する関連情報を前記識別情報と対応づけて第２のデータベースに登録するダイレクトメール情報管理手段と、
前記関連情報を指定するための第１の情報画面を、前記インターネットを介して前記端末に提供するサイト管理手段とを有し、
前記ダイレクトメール情報管理手段は、前記端末にて前記第１の情報画面を用いて前記関連情報が指定された場合に該指定された関連情報に対応する前記識別情報に対応づけられて前記第１のデータベースに登録された掲載情報を検索し、
前記サイト管理手段は、前記ダイレクトメール情報管理手段にて検索された掲載情報が掲載された第２の情報画面を、前記インターネットを介して前記端末に提供することを特徴とするダイレクトメール情報提供サーバー。
【請求項４】
請求項３に記載のダイレクトメール情報提供サーバーにおいて、
前記掲載情報の提供に伴う課金条件を設定する課金条件設定手段を有し、
前記サイト管理手段は、前記課金条件設定手段にて設定された課金条件が掲載された第３の情報画面を、前記インターネットを介して前記端末に提供することを特徴とするダイレクトメール情報提供サーバー。
【発明の詳細な説明】
【０００１】
【発明の属する技術分野】
本発明は、ダイレクトメールに関する情報を、インターネットを介して提供するダイレクトメール情報提供システム及びダイレクトメール情報提供サーバーに関する。
【０００２】
【従来の技術】
従来より、商品やサービスを提供する企業等においては、提供する商品やサービスを消費者に紹介したり、消費者の嗜好情報等、消費者に関する情報を収集したりするために、その目的に合った情報が記載されたダイレクトメールを消費者に発送することが行われている。
【０００３】
このように、商品やサービスを提供する企業等から消費者に発送されるダイレクトメールとしては、例えば、消費者に提供する商品やサービスに関する情報が記載されたものや、消費者の嗜好情報等、消費者に関する情報を収集するためのアンケート情報が記載されたもの等があるが、それぞれの目的を達成するためには、企業等から発送されたダイレクトメールを消費者に開封させ、ダイレクトメールに記載された情報を閲覧させたり、ダイレクトメールに記載されたアンケート情報に回答させたりしなければならない。
【０００４】
そのため、ダイレクトメールを発送する企業等においては、消費者にダイレクトメールを開封させ、ダイレクトメールに記載された情報を閲覧させるために、消費者に発送するダイレクトメールを、消費者が興味をひくような内容あるいは形態とする必要がある。
【０００５】
【発明が解決しようとする課題】
上述したように、ダイレクトメールを発送する企業等においては、消費者に発送するダイレクトメールの内容や形態を、消費者が興味をひくようなものとする必要があるが、どのようなものが消費者にとって興味をひくものであるかを認識する方法の１つとして、他の企業等が発送するダイレクトメールの内容や形態を参考にする方法が考えられる。
【０００６】
しかしながら、他の企業等が発送するダイレクトメールの内容や形態を参考にする場合は、他の企業等が発送するダイレクトメールを何らかの方法で入手しなければならないため、他の企業等が発送するダイレクトメールの内容や形態に関する情報を容易に取得することができないという問題点がある。
【０００７】
本発明は、上述したような従来の技術が有する問題点に鑑みてなされたものであって、ダイレクトメールの内容や形態といったダイレクトメールに関する情報を容易に取得することができるダイレクトメール情報提供システム及びダイレクトメール情報提供サーバーを提供することを目的とする。
【０００８】
【課題を解決するための手段】
上記目的を達成するために本発明は、
ダイレクトメールに関する情報を、インターネットを介して提供するダイレクトメール情報提供システムであって、
前記インターネットに接続可能な少なくとも１つの端末と、
前記ダイレクトメールに掲載される掲載情報を、該ダイレクトメールを識別可能な識別情報と対応づけて第１のデータベースに登録するとともに、前記ダイレクトメールに関する関連情報を前記識別情報と対応づけて第２のデータベースに登録し、前記関連情報を指定するための第１の情報画面を、前記インターネットを介して前記端末に提供し、前記端末にて前記関連情報が指定された場合に該指定された関連情報に対応する前記識別情報に対応づけられて前記第１のデータベースに登録された掲載情報を検索し、該掲載情報が掲載された第２の情報画面を、前記インターネットを介して前記端末に提供する情報提供手段とを有することを特徴とする。
【０００９】
また、前記情報提供手段は、前記掲載情報の提供に伴う課金条件を設定し、該課金条件が掲載された第３の情報画面を、前記インターネットを介して前記端末に提示することを特徴とする。
【００１０】
また、ダイレクトメールに関する情報を、インターネットに接続可能な端末に提供するダイレクトメール情報提供サーバーであって、
前記ダイレクトメールに掲載される掲載情報を、該ダイレクトメールを識別可能な識別情報と対応づけて第１のデータベースに登録するとともに、前記ダイレクトメールに関する関連情報を前記識別情報と対応づけて第２のデータベースに登録するダイレクトメール情報管理手段と、
前記関連情報を指定するための第１の情報画面を、前記インターネットを介して前記端末に提供するサイト管理手段とを有し、
前記ダイレクトメール情報管理手段は、前記端末にて前記第１の情報画面を用いて前記関連情報が指定された場合に該指定された関連情報に対応する前記識別情報に対応づけられて前記第１のデータベースに登録された掲載情報を検索し、
前記サイト管理手段は、前記ダイレクトメール情報管理手段にて検索された掲載情報が掲載された第２の情報画面を、前記インターネットを介して前記端末に提供することを特徴とする。
【００１１】
また、前記掲載情報の提供に伴う課金条件を設定する課金条件設定手段を有し、
前記サイト管理手段は、前記課金条件設定手段にて設定された課金条件が掲載された第３の情報画面を、前記インターネットを介して前記端末に提供することを特徴とする。
【００１２】
（作用）
上記のように構成された本発明においては、情報提供手段において、ダイレクトメールに掲載される掲載情報が、該ダイレクトメールを識別可能な識別情報と対応づけられて第１のデータベースに登録されるとともに、ダイレクトメールの差出人や送付の目的や発送先条件等のダイレクトメールに関する関連情報が識別情報と対応づけられて第２のデータベースに登録されている。インターネットに接続可能な端末にて所定の操作を行うと、関連情報を指定するための第１の情報画面が情報提供手段からインターネットを介して端末に提供される。その後、端末にて第１の情報画面を用いて関連情報を指定すると、情報提供手段において、端末にて指定された関連情報に対応する識別情報に対応づけられて前記第１のデータベースに登録された掲載情報が検索され、検索された掲載情報が掲載された第２の情報画面がインターネットを介して端末に提供されることになる。
【００１３】
このように、インターネットに接続可能な端末に提供された情報画面を用いて、ダイレクトメールに関する関連情報を指定することにより、所望の関連情報を有するダイレクトメールの掲載情報が端末に提供されることになるので、ダイレクトメールに掲載される掲載情報を容易に取得することができる。
【００１４】
【発明の実施の形態】
以下に、本発明の実施の形態について図面を参照して説明する。
【００１５】
図１は、本発明のダイレクトメール情報提供システムの実施の一形態を示す図である。
【００１６】
本形態は図１に示すように、予め登録されたダイレクトメールに関する情報を、インターネット５０を介して提供する情報提供サーバー３０と、インターネット５０に接続可能に構成され、情報提供サーバー３０から提供されるダイレクトメールに関する情報を評価するためのモニタ端末１０−１〜１０−ｎと、インターネット５０に接続可能に構成され、情報提供サーバー３０から提供されるダイレクトメールに関する情報やダイレクトメールの評価情報を閲覧するための会員端末２０−１〜２０−Ｎとから構成されており、さらに、情報提供サーバー３０は、ダイレクトメールに掲載された掲載情報を第１のデータベースであるダイレクトメール情報データベース４１に登録するとともに、ダイレクトメール情報データベース４１に登録されたダイレクトメールの差出人等のダイレクトメールに関する関連情報、並びにダイレクトメールに対する評価情報を第２のデータベースであるコンテンツ情報データベース４２に登録し、また、ダイレクトメール情報データベース４１及びコンテンツ情報データベース４２内に登録された情報を検索するダイレクトメール情報管理部３１と、ダイレクトメール情報データベース４１に登録された情報を評価させるための画面、並びにダイレクトメール情報データベース４１及びコンテンツ情報データベース４２に登録された情報が掲載された画面を管理するサイト管理部３２と、ダイレクトメール情報データベース４１に新たなダイレクトメールの掲載情報が登録された場合に、モニタ情報データベース４３及び通知メールデータベース４４に登録された情報を参照して、モニタ端末１０−１〜１０−ｎのうち所定のモニタ端末１０−１〜１０−ｎに対して、ダイレクトメール情報データベース４１に新たなダイレクトメールに関する情報が登録された旨が記載された電子メールを作成し、送信するメール通知部３３と、ダイレクトメール情報データベース４１に登録されたダイレクトメールの掲載情報をインターネット５０を介して提供する際にそれに伴う課金条件を設定する課金条件設定部３４とから構成されている。
【００１７】
以下に、上記のように構成されたダイレクトメール情報提供システムにおけるダイレクトメール情報提供方法について説明する。
【００１８】
まず、ダイレクトメール情報データベース４１に登録されたダイレクトメールの掲載情報をモニタ端末１０−１〜１０−ｎにて評価する際の処理について、ダイレクトメール情報データベース４１に登録されたダイレクトメールの掲載情報をモニタ端末１０−１にて評価する際の処理を例に挙げて説明する。
【００１９】
図２は、図１に示したダイレクトメール情報提供システムにて、ダイレクトメール情報データベース４１に登録されたダイレクトメールの掲載情報をモニタ端末１０−１にて評価する際の処理を説明するためのフローチャートである。
【００２０】
まず、企業等が差し出すダイレクトメールに関する情報を図１に示したようなダイレクトメール情報提供システムに登録する場合、情報提供サーバー３０のダイレクトメール情報管理部３１において、ダイレクトメールの掲載情報がダイレクトメール情報データベース４１に登録されるとともに、ダイレクトメールの差出人等のダイレクトメールに関する関連情報がコンテンツ情報データベース４２に登録される（ステップＳ１）。ここで、ダイレクトメールの掲載情報のダイレクトメール情報データベース４１への登録は、ダイレクトメールの差出人となる企業等から情報提供サーバー３０を運営する企業等にダイレクトメールを送付し、情報提供サーバー３０のダイレクトメール情報管理部３１において、送付されてきたダイレクトメールに掲載された掲載情報が読み込まれ、読み込まれた掲載情報がダイレクトメール情報データベース４１に登録されることにより行われる場合や、ダイレクトメールに掲載された掲載情報を、インターネット５０を介して情報提供サーバー３０に送信し、情報提供サーバー３０のデータベース情報管理部３１において、送信されてきた掲載情報がダイレクトメール情報データベース４１に登録されることにより行われる場合等が考えられる。また、ダイレクトメール情報データベース４１に登録される掲載情報は、その掲載情報が掲載されるダイレクトメールを識別可能な識別情報となるダイレクトメールＩＤに対応づけられてダイレクトメール情報データベース４１に登録される。
【００２１】
また、ダイレクトメールに関する関連情報のコンテンツ情報データベース４２への登録は、ダイレクトメールの差出人となる企業等からダイレクトメールに関する関連情報が情報提供サーバー３０に与えられ、ダイレクトメール情報管理部３１において、ダイレクトメールの差出人となる企業等から与えられたダイレクトメールに関する関連情報がコンテンツ情報データベース４２に登録されることにより行われる。また、コンテンツ情報データベース４２に登録されるダイレクトメールに関する関連情報についても、そのダイレクトメールを識別可能なダイレクトメールＩＤと対応づけられてコンテンツ情報データベース４２に登録される。
【００２２】
図３は、図１に示したコンテンツ情報データベース４２の構造例を示す図である。
【００２３】
本形態におけるコンテンツ情報データベース４２は図３に示すように、ダイレクトメール情報データベース４１に掲載情報が登録されたダイレクトメール毎に、ダイレクトメールを識別可能なダイレクトメールＩＤと対応づけられて、そのダイレクトメールの差出人の業種や、企業名、受取年月日、郵便物としての種類、送付の目的、発送先条件が登録された構造となっている。なお、送付の目的においては、例えば、アンケートを実施するものや、来店を促進するためのものや、所定の申し込みを行わせるためのもの等、予め決められた目的の中から選択的に登録されており、また、郵便物の種類についても、送付の目的と同様に、予め決められた種類の中から選択的に登録されている。また、発送先条件においては、ダイレクトメールの発送先となる消費者の年齢や、性別、職業、あるいは発送先の地域等がそれぞれ登録されている。
【００２４】
また、ダイレクトメール情報データベース４１に掲載情報が登録されたダイレクトメール毎に、掲載情報に対する評価情報がダイレクトメールＩＤと対応づけられて登録されている。
【００２５】
また、ダイレクトメールの差出人となる企業等に予め付与された企業ＩＤやパスワードもダイレクトメール毎に登録されている。
【００２６】
ダイレクトメール情報データベース４１に新たにダイレクトメールの掲載情報が登録されると、情報提供サーバー３０のメール通知部３３において、コンテンツ情報データベース４２及びモニタ情報データベース４３が参照され、モニタ端末１０−１〜１０−ｎのうち、ダイレクトメール情報データベース４１に新たにダイレクトメールの掲載情報が登録された旨を通知すべきモニタ端末が選択され、さらに、通知メールデータベース４４が参照され、ダイレクトメール情報データベース４１に新たにダイレクトメールの掲載情報が登録された旨を、選択されたモニタ端末に通知するための通知メールが作成され、送信される（ステップＳ２）。
【００２７】
図４は、図１に示したモニタ情報データベース４３の構造例を示す図である。
【００２８】
本形態におけるモニタ情報データベース４３は図３に示すように、ダイレクトメールの掲載情報を評価するモニタとして予め登録された消費者毎に、該消費者を識別可能なモニタＩＤと対応づけられて、その消費者の年齢や性別、職業、あるいは住んでいる地域、また、その消費者が操作するモニタ端末１０−１〜１０−ｎのメールアドレスが登録された構造となっている。
【００２９】
メール通知部３３においては、ダイレクトメール情報データベース４１に新たにダイレクトメールの掲載情報が登録されると、コンテンツ情報データベース４２及びモニタ情報データベース４３が参照され、コンテンツ情報データベース４２に登録された関連情報とモニタ情報データベース４３に登録された情報とに基づいて、モニタ端末１０−１〜１０−ｎのうち、ダイレクトメール情報データベース４１に新たにダイレクトメールの掲載情報が登録された旨を通知すべきモニタ端末が選択される。例えば、最も簡単な例としては、図３に示したようなコンテンツ情報データベース４２に登録された発送先条件と図４に示したようなモニタ情報データベース４３に登録された地域情報とが照合され、ダイレクトメール情報データベース４１に新たに登録されたダイレクトメールの発送先に住んでいるモニタが抽出され、このモニタによって操作されるモニタ端末が選択される。
【００３０】
その後、メール通知部３３において、通知メールデータベース４４が参照され、ダイレクトメール情報データベース４１に新たにダイレクトメールの掲載情報が登録された旨を、選択されたモニタ端末に通知するための通知メールが作成され、送信される。
【００３１】
なお、コンテンツ情報データベース４２に登録された関連情報とモニタ情報データベース４３に登録された情報とに基づいて、モニタ端末１０−１〜１０−ｎのうちどのモニタ端末を選択するかについては、メール通知部３３内に、コンテンツ情報データベース４２に登録された関連情報とモニタ情報データベース４３に登録された情報とからなるテーブル（不図示）が設けられており、このテーブルを用いてモニタ端末が選択されることになる。
【００３２】
情報提供サーバー３０のメール通知部３３から送信された通知メールはインターネット５０を介して、モニタ端末１０−１〜１０−ｎのうち、メール通知部３３にて選択されたモニタ端末にて受信されることになる（ステップＳ３）。
【００３３】
ここで、本形態においては、メール通知部３３から送信された通知メールがモニタ端末１０−１にて受信され、モニタ端末１０−１においてダイレクトメールの掲載情報が評価されるため、モニタ端末１０−１にて、ダイレクトメール評価サイトにアクセスすると（ステップＳ４）、情報提供サーバー３０のサイト管理部３２から、ダイレクトメール情報データベース４１に登録されたダイレクトメールの掲載情報を評価するためのダイレクトメール評価サイトが送信される（ステップＳ５）。なお、メール通知部３３から送信される通知メールには、ダイレクトメール評価サイトにアクセスするためのアクセス情報が掲載されている。
【００３４】
情報提供サーバー３０のサイト管理部３２から送信されたダイレクトメール評価サイトは、インターネット５０を介してモニタ端末１０−１にて受信され、モニタ端末１０−１の画面上に表示される（ステップＳ６）。情報提供サーバー３０のサイト管理部３２から送信され、モニタ端末１０−１の画面上に表示されるダイレクトメール評価サイトには、ダイレクトメール情報データベース４１に新たに掲載情報が登録されたダイレクトメールを含む、ダイレクトメール情報データベース４１に掲載情報が登録されたダイレクトメールを選択するための情報が掲載されている。例えば、ダイレクトメールの差出人とその送付の目的等がダイレクトメール毎に掲載され、モニタ端末１０−１を操作する消費者は、モニタ端末１０−１に表示された情報を用いて所望のダイレクトメールを選択することになる。なお、モニタ端末１０−１の画面上に表示される情報については、ダイレクトメール毎にダイレクトメールを識別可能なダイレクトメールＩＤが対応づけられている。
【００３５】
モニタ端末１０−１において、モニタ端末１０−１の画面上に表示されたダイレクトメール評価サイトを用いて、所望のダイレクトメールを指定すると（ステップＳ７）、情報提供サーバー３０のダイレクトメール情報管理部３１において、指定された情報に対応づけられたダイレクトメールＩＤが認識され、ダイレクトメール情報データベース４１に登録された掲載情報の中から、認識されたダイレクトメールＩＤに対応づけられたダイレクトメールの掲載情報が検索され、また、コンテンツ情報データベース４２に登録された関連情報の中から、認識されたダイレクトメールＩＤに対応づけられたダイレクトメールに関する情報が検索され、その後、サイト管理部３２において、ダイレクトメール情報管理部３１にて検索された情報が掲載されたダイレクトメール掲載画面が作成され、送信される（ステップＳ８）。
【００３６】
情報提供サーバー３０のサイト管理部３２から送信されたダイレクトメール掲載画面は、インターネット５０を介してモニタ端末１０−１にて受信され、モニタ端末１０−１の画面上に表示される（ステップＳ９）。
【００３７】
図５は、図１に示したダイレクトメール情報提供システムにて情報提供サーバー３０から送信され、モニタ端末１０−１〜１０−ｎにて受信表示されるダイレクトメール掲載画面の一例を示す図である。
【００３８】
図５に示すように、図１に示したダイレクトメール情報提供システムにて情報提供サーバー３０から送信され、モニタ端末１０−１〜１０−ｎにて受信、表示されるダイレクトメール掲載画面においては、ダイレクトメール掲載画面に掲載されるダイレクトメールを識別可能なダイレクトメールＩＤ１と、コンテンツ情報データベース４２に登録された関連情報２と、ダイレクトメール情報データベース４１に登録された掲載情報３とが掲載されており、さらに、掲載情報３を評価するための評価情報入力エリア４と、ダイレクトメールの評価情報を閲覧する際に、ダイレクトメールの差出人に予め付与された企業ＩＤ及びパスワードを入力するためのキー情報入力エリア５とが設けられている。ここで、コンテンツ情報データベース４２に登録された関連情報のうち、ダイレクトメールの評価情報については、ダイレクトメールの差出人に予め付与された企業ＩＤ及びパスワードをキー情報入力エリア５に入力した場合にのみ閲覧可能となる。その際の処理については後述する。
【００３９】
モニタ端末１０−１において、評価情報入力エリア４に評価情報を入力し、送信すると（ステップＳ１０）、送信された評価情報はインターネット５０を介して情報提供サーバー３０にて受信され（ステップＳ１１）、その後、ダイレクトメール情報管理部３１において、受信された評価情報がコンテンツ情報データベース４２に登録される（ステップＳ１２）。なお、コンテンツ情報データベース４２への評価情報の登録は、ステップＳ１０にて評価情報が入力されたダイレクトメールを識別可能なダイレクトメールＩＤに対応づけられた評価情報として、コンテンツ情報データベース４２に評価情報が登録されることにより行われる。
【００４０】
次に、コンテンツ情報データベース４２に登録された評価情報を会員端末２０−１〜２０−Ｎにて閲覧する際の処理について、コンテンツ情報データベース４２に登録された評価情報を会員端末２０−１にて閲覧する際の処理を例に挙げて説明する。
【００４１】
図６は、図１に示したダイレクトメール情報提供システムにて、コンテンツ情報データベース４２に登録された評価情報を会員端末２０−１にて閲覧する際の処理を説明するためのフローチャートである。
【００４２】
ダイレクトメールの差出人が、ダイレクトメールの評価情報を会員端末２０−１にて閲覧する場合、まず、会員端末２０−１にて、ダイレクトメール評価サイトにアクセスすると（ステップＳ２１）、情報提供サーバー３０のサイト管理部３２から、ダイレクトメール情報データベース４１に登録されたダイレクトメールの掲載情報を評価するためのダイレクトメール評価サイトが送信される（ステップＳ２２）。
【００４３】
情報提供サーバー３０のサイト管理部３２から送信されたダイレクトメール評価サイトは、インターネット５０を介して会員端末２０−１にて受信され、会員端末２０−１の画面上に表示される（ステップＳ２３）。なお、情報提供サーバー３０のサイト管理部３２から送信され、会員端末２０−１の画面上に表示されるダイレクトメール評価サイトには、ダイレクトメール情報データベース４１に掲載情報が登録されたダイレクトメールを選択するための情報が掲載されている。
【００４４】
会員端末２０−１において、会員端末２０−１の画面上に表示されたダイレクトメール評価サイトを用いて、所望のダイレクトメールを指定すると（ステップＳ２４）、情報提供サーバー３０のダイレクトメール情報管理部３１において、指定された情報に対応づけられたダイレクトメールＩＤが認識され、ダイレクトメール情報データベース４１に登録された情報の中から、認識されたダイレクトメールＩＤに対応づけられたダイレクトメールの掲載情報が検索され、また、コンテンツ情報データベース４２に登録された関連情報の中から、認識されたダイレクトメールＩＤに対応づけられたダイレクトメールに関する関連情報が検索され、その後、サイト管理部３２において、ダイレクトメール情報管理部３１にて検索された情報が掲載されたダイレクトメール掲載画面が作成され、送信される（ステップＳ２５）。
【００４５】
情報提供サーバー３０のサイト管理部３２から送信されたダイレクトメール掲載画面は、インターネット５０を介して会員端末２０−１にて受信され、会員端末２０−１の画面上に表示される（ステップＳ２６）。
【００４６】
情報提供サーバー３０から送信され、会員端末２０−１にて受信、表示されるダイレクトメール掲載画面は、図５に示したものと同様に、ダイレクトメール掲載画面に掲載されるダイレクトメールを識別可能なダイレクトメールＩＤ１と、コンテンツ情報データベース４２に登録された関連情報２と、ダイレクトメール情報データベース４１に登録された掲載情報３とが掲載されているとともに、掲載情報３を評価するための評価情報入力エリア４と、ダイレクトメールの評価情報を閲覧する際に、ダイレクトメールの差出人に予め付与された企業ＩＤ及びパスワードを入力するためのキー情報入力エリア５とが設けられている。
【００４７】
ここで、会員端末２０−１の画面上に表示されたダイレクトメールの評価情報を閲覧する場合、ダイレクトメールの差出人に予め付与された企業ＩＤ及びパスワードをキー情報入力エリア５に入力し、送信する（ステップＳ２７）。
【００４８】
会員端末２０−１から送信された企業ＩＤ及びパスワードが情報提供サーバー３０にて受信されると（ステップＳ２８）、情報提供サーバー３０のダイレクトメール情報管理部３１において、コンテンツ情報データベース４２が参照され、受信された企業ＩＤ及びパスワードが、ステップＳ２６にて会員端末２０−１の画面上に表示されたダイレクトメールに関する情報として登録されているかどうかが判断され（ステップＳ２９）、受信された企業ＩＤ及びパスワードが、ステップＳ２６にて会員端末２０−１の画面上に表示されたダイレクトメールに関する情報としてコンテンツ情報データベース４２に登録されている場合は、ステップＳ２６にて会員端末２０−１の画面上に表示されたダイレクトメールの評価情報がコンテンツ情報データベース４２から抽出され、サイト管理部３２において、抽出された評価情報が掲載された評価情報掲載画面が作成され、送信される（ステップＳ３０）。
【００４９】
サイト管理部３２から送信された評価情報掲載画面は、インターネット５０を介して会員端末２０−１にて受信され、会員端末２０−１の画面上に表示される（ステップＳ３１）。
【００５０】
一方、会員端末２０−１から送信され、情報提供サーバー３０にて受信された企業ＩＤ及びパスワードが、コンテンツ情報データベース４２に登録されていない場合や、ステップＳ２６にて会員端末２０−１の画面上に表示されたダイレクトメールに関する情報としてコンテンツ情報データベース４２に登録されていない場合は、入力された企業ＩＤ及びパスワードが登録されていない旨が情報提供サーバー３０から会員端末２０−１に通知される（ステップＳ３２，Ｓ３３）。
【００５１】
次に、ダイレクトメール情報データベース４１に登録されたダイレクトメールの掲載情報を会員端末２０−１〜２０−Ｎにて閲覧する際の処理について、ダイレクトメール情報データベース４１に登録されたダイレクトメールの掲載情報を会員端末２０−２にて閲覧する際の処理を例に挙げて説明する。
【００５２】
図７は、図１に示したダイレクトメール情報提供システムにて、ダイレクトメール情報データベース４１に登録された掲載情報を会員端末２０−２にて閲覧する際の処理を説明するためのフローチャートである。
【００５３】
ダイレクトメール情報データベース４１に登録されたダイレクトメールの掲載情報を閲覧するために、会員端末２０−２にてダイレクトメール閲覧サイトにアクセスすると（ステップＳ４１）、情報提供サーバー３０のサイト管理部３２から、第１の情報画面であるダイレクトメール閲覧サイトが送信される（ステップＳ４２）。
【００５４】
サイト管理部３２から送信されたダイレクトメール閲覧サイトは、インターネット５０を介して会員端末２０−２にて受信され、会員端末２０−２の画面上に表示される（ステップＳ４３）。
【００５５】
図８は、図１に示したダイレクトメール情報提供システムにて情報提供サーバー３０から送信され、会員端末２０−１〜２０−ｎにて受信表示されるダイレクトメール閲覧サイトの一例を示す図である。
【００５６】
図８に示すように、図１に示したダイレクトメール情報提供システムにて情報提供サーバー３０から送信され、会員端末２０−１〜２０−ｎにて受信、表示されるダイレクトメール閲覧サイトにおいては、閲覧したいダイレクトメールの差出人の業種や、企業名、受取年月日、郵便物の種類、あるいは発送の目的等の条件を指定するための条件指定エリア６が設けられている。
【００５７】
会員端末２０−２において、ダイレクトメール閲覧サイトに掲載された条件指定エリア６にて所望の条件を指定すると（ステップＳ４４）、情報提供サーバー３０のダイレクトメール情報管理部３１において、コンテンツ情報データベース４２が参照され、ステップＳ４４にて指定された条件に合うダイレクトメールが検索され（ステップＳ４５）、サイト管理部３２において、ダイレクトメール情報管理部３１にて抽出されたダイレクトメールを選択するための情報が掲載されたダイレクトメール一覧掲載画面が作成され、送信される（ステップＳ４６）。
【００５８】
サイト管理部３２から送信されたダイレクトメール一覧掲載画面は、インターネット５０を介して会員端末２０−１にて受信され、会員端末２０−２の画面上に表示される（ステップＳ４７）。ここで、サイト管理部３２から送信され、会員端末２０−２にて受信、表示されるダイレクトメール一覧掲載画面においては、ダイレクトメール情報管理部３１にて抽出されたダイレクトメールを選択するための情報が掲載されている。例えば、ダイレクトメールの差出人とその送付の目的等がダイレクトメール毎に掲載され、会員端末２０−２を操作する企業等の担当者は、会員端末２０−２に表示された情報を用いて所望のダイレクトメールを選択することになる。なお、会員端末２０−２の画面上に表示される情報については、ダイレクトメール毎にダイレクトメールを識別可能なダイレクトメールＩＤが対応づけられている。
【００５９】
会員端末２０−２において、会員端末２０−２の画面上に表示されたダイレクトメール一覧掲載画面を用いて、所望のダイレクトメールを指定すると（ステップＳ４８）、情報提供サーバー３０の課金条件設定部３４において、指定されたダイレクトメールの閲覧に伴って発生する料金が算出され、この課金条件が掲載された第３の情報画面がサイト管理部３２から送信される（ステップＳ４９）。なお、ダイレクトメールの閲覧に伴って発生する料金は、例えば、ダイレクトメール一覧掲載画面上にて指定されたダイレクトメールの数に基づいて算出される。
【００６０】
サイト管理部３２から送信された情報画面は、インターネット５０を介して会員端末２０−２にて受信され、会員端末２０−２の画面上に表示される（ステップＳ５０）。なお、サイト管理部３２から送信され、会員端末２０−２にて受信、表示される情報画面には、課金条件設定部３４にて算出された料金が掲載されている以外にも、その料金の支払い方法を、ダイレクトメールの掲載情報を閲覧する企業等毎に予め決めておき、ダイレクトメール閲覧サイトにアクセスする際に、ダイレクトメールの掲載情報を閲覧する企業等を識別可能な識別情報を入力し、入力された識別情報によって決められた支払い方法が掲載されることも考えられる。
【００６１】
会員端末２０−２において、画面上に表示された課金条件を閲覧し、表示された課金条件にてダイレクトメールの掲載情報を閲覧する場合（ステップＳ５１）、会員端末２０−２の画面上に表示される閲覧ボタンを押下すると（ステップＳ５２）、情報提供サーバー３０のダイレクトメール情報管理部３１において、ステップＳ４８にて指定された情報に対応づけられたダイレクトメールＩＤが認識され、ダイレクトメール情報データベース４１に登録された掲載情報の中から、認識されたダイレクトメールＩＤに対応づけられたダイレクトメールの掲載情報が検索され、また、コンテンツ情報データベース４２に登録された情報の中から、認識されたダイレクトメールＩＤに対応づけられたダイレクトメールに関する情報が検索され、その後、サイト管理部３２において、ダイレクトメール情報管理部３１にて検索された情報が掲載された第２の情報画面であるダイレクトメール掲載画面が作成され、送信される（ステップＳ５３）。
【００６２】
情報提供サーバー３０のサイト管理部３２から送信されたダイレクトメール掲載画面は、インターネット５０を介して会員端末２０−２にて受信され、会員端末２０−２の画面上に表示される（ステップＳ５４）。
【００６３】
その後、情報提供サーバー３０を運営する企業等において、ステップＳ５０にて会員端末２０−２の画面上に表示された課金条件に基づいて、会員端末２０−２の利用者となる企業等からダイレクトメールの掲載情報の閲覧料金が徴収され、ダイレクトメールの差出人となる企業等にロイヤリティーとして料金が支払われる。
【００６４】
また、ステップＳ５１において、ステップＳ２０にて会員端末２０−２の画面上に表示された課金条件にてダイレクトメールの掲載情報を閲覧しない場合は、会員端末２０−２の画面上に表示される戻るボタンを押下すると、サイト管理部３２から送信されたダイレクトメール一覧掲載画面が会員端末２０−２の画面上に再び表示されることになる（ステップＳ５５）。
【００６５】
【発明の効果】
以上説明したように本発明においては、ダイレクトメールに関する情報を、インターネットを介して提供するダイレクトメール情報提供システムにおいて、インターネットに接続可能な少なくとも１つの端末と、ダイレクトメールに掲載される掲載情報を、該ダイレクトメールを識別可能な識別情報と対応づけて第１のデータベースに登録するとともに、ダイレクトメールに関する関連情報を識別情報と対応づけて第２のデータベースに登録し、関連情報を指定するための第１の情報画面を、インターネットを介して端末に提供し、端末にて関連情報が指定された場合に該指定された関連情報に対応する識別情報に対応づけられて第１のデータベースに登録された掲載情報を検索し、該掲載情報が掲載された第２の情報画面を、インターネットを介して端末に提供する情報提供手段とを設けたため、インターネットに接続可能な端末に提供された情報画面を用いて、ダイレクトメールに関する関連情報を指定することにより、所望の関連情報を有するダイレクトメールの掲載情報が端末に提供されることになり、ダイレクトメールに掲載される掲載情報を容易に取得することができる。
【００６６】
また、情報提供手段において、掲載情報の提供に伴う課金条件を設定し、設定した課金条件が掲載された第３の情報画面を、インターネットを介して端末に提示するものにおいては、ダイレクトメールの差出人に、ダイレクトメールの掲載情報の提供に伴うロイヤリティを支払う仕組みが構築でき、また、ダイレクトメールの掲載情報の閲覧者に掲載情報の閲覧に伴う課金条件を通知することができる。
【図面の簡単な説明】
【図１】本発明のダイレクトメール情報提供システムの実施の一形態を示す図である。
【図２】図１に示したダイレクトメール情報提供システムにて、ダイレクトメール情報データベースに登録されたダイレクトメールの掲載情報をモニタ端末にて評価する際の処理を説明するためのフローチャートである。
【図３】図１に示したコンテンツ情報データベースの構造例を示す図である。
【図４】図１に示したモニタ情報データベースの構造例を示す図である。
【図５】図１に示したダイレクトメール情報提供システムにて情報提供サーバーから送信され、モニタ端末にて受信表示されるダイレクトメール掲載画面の一例を示す図である。
【図６】図１に示したダイレクトメール情報提供システムにて、コンテンツ情報データベースに登録された評価情報を会員端末にて閲覧する際の処理を説明するためのフローチャートである。
【図７】図１に示したダイレクトメール情報提供システムにて、ダイレクトメール情報データベースに登録された評価情報を会員端末にて閲覧する際の処理を説明するためのフローチャートである。
【図８】図１に示したダイレクトメール情報提供システムにて情報提供サーバーから送信され、会員端末にて受信表示されるダイレクトメール閲覧サイトの一例を示す図である。
【符号の説明】
１　　ダイレクトメールＩＤ
２　　関連情報
３　　掲載情報
４　　評価情報入力エリア
５　　キー情報入力エリア
６　　条件指定エリア
１０−１〜１０−ｎ　　モニタ端末
２０−１〜２０−Ｎ　　会員端末
３０　　情報提供サーバー
３１　　ダイレクトメール情報管理部
３２　　サイト管理部
３３　　メール通知部
３４　　課金条件設定部
４１　　ダイレクトメール情報データベース
４２　　コンテンツ情報データベース
４３　　モニタ情報データベース
４４　　通知メールデータベース
５０　　インターネット
【図１】
2004005155.tif 000003
【図２】
2004005155.tif 000004
【図３】
2004005155.tif 000005
【図４】
2004005155.tif 000006
【図５】
2004005155.tif 000007
【図６】
2004005155.tif 000008
【図７】
2004005155.tif 000009
【図８】
2004005155.tif 000010